(57)【要約】      （修正有）【課題】騒音の大きい環境下においても、低コストで周囲雑音のないクリアな音声での通話を可能にする。【解決手段】電話機２と、交換機１を有する電話システムにおいて、電話機２は、第１のマイク１２を有するハンドセット９と、電話機２の本体に設けられたハンズフリー通話用の第２のマイク１０を有する。交換機１は、電話機２から送信された音声信号の雑音成分を除去するノイズ除去手段１１を有する。電話機２と交換機１の間には、第１と第２の音声チャネル８が設けられ、ハンドセット９の第１のマイク１２からの音声信号は、第１の音声チャネル７を介して交換機１に送信され、電話機２本体に設けられた第２のマイク１０からの音声信号は、第２の音声チャネル８を介して交換機１に送信される。ノイズ除去手段１１は、ハンドセット９の第１のマイク１２から侵入した周囲雑音成分を電話機２本体の第２のマイク１０から収集した周囲雑音成分により打ち消す。【選択図】図１
2015149543.tif 000002
【特許請求の範囲】
【請求項１】
電話機と、この電話機に接続された交換機を有する電話システムであって、
前記電話機は、
第１のマイクを有する送受話用のハンドセットと、
電話機本体に設けられたハンズフリー通話用の第２のマイクを有し、
前記交換機は、前記電話機から送信された音声信号の雑音成分を除去するノイズ除去手段を有し、
前記電話機と前記交換機の間には、第１の音声チャネルと第２の音声チャネルが設けられ、
前記ハンドセットの第１のマイクからの音声信号は、前記第１の音声チャネルを介して前記交換機に送信され、
前記電話機本体に設けられた第２のマイクからの音声信号は、前記第２の音声チャネルを介して前記交換機に送信され、
前記ノイズ除去手段は、前記ハンドセットの第１のマイクから侵入した周囲雑音成分を前記電話機本体の第２のマイクから収集した周囲雑音成分により打ち消すことを特徴とする電話システム。
【請求項２】
前記ノイズ除去手段は、前記電話機本体の第２のマイクから送信された前記周囲雑音成分の位相を反転させて、前記ハンドセットの第１のマイクから送信された音声信号に加えることによって、前記第１のマイクから侵入した周囲雑音成分が打ち消された通話音声信号のみを相手先へ送信することを特徴とする請求項１に記載の電話システム。
【請求項３】
前記ハンドセットの第１のマイクと前記電話機本体の第２のマイクとはそれぞれ独立しており、前記第１の音声チャネル及び前記第２の音声チャネルを介して別々に通話を行うことが可能な請求項１又は２に記載の電話システム。
【請求項４】
前記ハンドセットの第１のマイクを前記第１の音声チャネルを介して通話用に使用し、
前記電話機本体の第２のマイクを通話用ではなく前記周囲雑音成分の収集にのみ使用し、
前記電話機が前記第１の音声チャネルを介して通話中に、前記電話機本体の第２のマイクを有効にして前記周囲雑音成分を収集して前記第２の音声チャネルを介して前記交換機に送信することを特徴とする請求項１から３のいずれか１項に記載の電話システム。
【請求項５】
前記電話システムは、ボタン電話装置とボタン電話端末を有するボタン電話システムであり、
前記交換機は前記ボタン電話装置であり、前記電話機は前記ボタン電話端末であることを特徴とする請求項１から４のいずれか１項に記載の電話システム。
【請求項６】
電話機に設けられた送受話用のハンドセットの第１のマイクからの音声信号を第１の音声チャネル介して交換機に送信し、
電話機本体に設けられたハンズフリー通話用の第２のマイクからの音声信号を第２の音声チャネルを介して前記交換機に送信し、
前記交換機内で、前記ハンドセットの前記第１のマイクから侵入した周囲雑音成分を前記電話機本体の前記第２のマイクから収集した周囲雑音成分により打ち消すことを特徴とする電話システムにおけるノイズ除去方法。
【請求項７】
前記交換機内で、前記電話機本体の第２のマイクから送信された前記周囲雑音成分の位相を反転させて、前記ハンドセットの第１のマイクから送信された音声信号に加えることによって、前記第１のマイクから侵入した周囲雑音成分が打ち消された通話音声信号のみを相手先へ送信することを特徴とする請求項６に記載の電話システムにおけるノイズ除去方法。
【請求項８】
前記ハンドセットの第１のマイクと前記電話機本体の第２のマイクとはそれぞれ独立しており、前記第１の音声チャネル及び前記第２の音声チャネルを介して別々に通話を行うことが可能な請求項６又は７に記載の電話システムにおけるノイズ除去方法。
【請求項９】
前記ハンドセットの第１のマイクを前記第１の音声チャネルを介して通話用に使用し、
前記電話機本体の第２のマイクを通話用ではなく前記周囲雑音成分の収集にのみ使用し、
前記電話機が前記第１の音声チャネルを介して通話中に、前記電話機本体の第２のマイクを有効にして前記周囲雑音成分を収集して前記第２の音声チャネルを介して前記交換機に送信することを特徴とする請求項６から８のいずれか１項に記載の電話システムにおけるノイズ除去方法。
【請求項１０】
前記電話システムは、ボタン電話装置とボタン電話端末を有するボタン電話システムであり、
前記交換機は前記ボタン電話装置であり、前記電話機は前記ボタン電話端末であることを特徴とする請求項６から９のいずれか１項に記載の電話システムにおけるノイズ除去方法。
【発明の詳細な説明】
【技術分野】
【０００１】
本発明は、電話システム及び電話システムにおけるノイズ除去方法に関し、特に、ボタン電話システム及びボタン電話システムにおけるノイズ除去方法に関する。
【背景技術】
【０００２】
工場など、騒音が大きい場所にあるボタン電話端末と外部の電話機とで通話する場合、外部電話機の受話音声には、ボタン電話端末のハンドセットから入った騒音も一緒に聞こえるため、聞き取りにくいという現象があり、それを回避するために、ボタン電話端末側の話者が、大声で話をしなければならない。
【０００３】
このように、工場など騒音が大きい環境下に置かれたボタン電話端末で通話する場合、ボタン電話端末側の送話に周囲の雑音が入り、通話相手が会話を聞き取りにくくなるという問題があった。
【０００４】
このような問題を解決するために、特開２０１２−０２８８８７公報（特許文献１）では、通話中の電話機の近傍に位置する通話中ではない電話機のマイクで周囲雑音を収集し、電話制御装置（交換機）内のノイズキャンセラーにより周囲雑音を打ち消している。
【０００５】
また、特開２０１２−２３５５３９公報（特許文献２）は、送話音から周囲雑音を除去することが開示されている。
【先行技術文献】
【特許文献】
【０００６】
【特許文献１】特開２０１２−０２８８８７公報
【特許文献２】特開２０１２−２３５５３９公報
【発明の概要】
【発明が解決しようとする課題】
【０００７】
しかし、特許文献１では、通話中の電話機と周囲雑音を収集する電話機とが異なっている（位置が異なる）ため、侵入する雑音レベルにも差が生じ、ノイズキャンセラーで打ち消しきれない雑音が通話相手へ送信されてしまう。
【０００８】
また、特許文献２では、単体の電話機（無線携帯電話機）に適用され、電話機本体にノイズキャンセラーを具備しているため、その分電話機本体のコストが高くとなる。
【０００９】
そこで、本発明の目的は、上述した従来技術の課題を解決するための技術を提供することにあり、工場等の騒音の大きい環境下においても、低コストで周囲雑音のないクリアな音声で通話可能な電話システム及び電話システムにおけるノイズ除去方法を提供することにある。
【課題を解決するための手段】
【００１０】
本発明に係る電話システムは、
電話機と、この電話機に接続された交換機を有する電話システムであって、
前記電話機は、
第１のマイクを有する送受話用のハンドセットと、
電話機本体に設けられたハンズフリー通話用の第２のマイクを有し、
前記交換機は、前記電話機から送信された音声信号の雑音成分を除去するノイズ除去手段を有し、
前記電話機と前記交換機の間には、第１の音声チャネルと第２の音声チャネルが設けられ、
前記ハンドセットの第１のマイクからの音声信号は、前記第１の音声チャネルを介して前記交換機に送信され、
前記電話機本体に設けられた第２のマイクからの音声信号は、前記第２の音声チャネルを介して前記交換機に送信され、
前記ノイズ除去手段は、前記ハンドセットの第１のマイクから侵入した周囲雑音成分を前記電話機本体の第２のマイクから収集した周囲雑音成分により打ち消すことを特徴とする。
【００１１】
また、本発明に係る電話システムにおけるノイズ除去方法は、
電話機に設けられた送受話用のハンドセットの第１のマイクからの音声信号を第１の音声チャネル介して交換機に送信し、
電話機本体に設けられたハンズフリー通話用の第２のマイクからの音声信号を第２の音声チャネルを介して前記交換機に送信し、
前記交換機内で、前記ハンドセットの前記第１のマイクから侵入した周囲雑音成分を前記電話機本体の前記第２のマイクから収集した周囲雑音成分により打ち消すことを特徴とする。
【発明の効果】
【００１２】
本発明によれば、工場等の騒音の大きい環境下においても、低コストで周囲雑音のないクリアな音声で通話を行うことができる。
【図面の簡単な説明】
【００１３】
【図１】本発明の実施の形態に係るボタン電話システムの構成を示す図である。
【発明を実施するための形態】
【００１４】
以下、図面を参照しながら、本発明の実施の形態について詳細に説明する。
【００１５】
図１を参照して、本発明の実施の形態に係るボタン電話システムの構成について説明する。
【００１６】
本発明の実施の形態では、ボタン電話装置の通話において、ボタン電話端末が、工場などの騒音が大きい環境下に設置された時の通話を想定している。
【００１７】
図１を参照すると、ボタン電話システム（電話システム）１００は、ボタン電話装置（交換機）１とボタン電話端末（電話機）２を有する。ここで、図１では、一つのボタン電話端末２が一台のボタン電話装置１に接続されているが、複数のボタン電話端末２を一台のボタン電話装置１に接続してもよい。
【００１８】
ボタン電話装置１は、電話回線３を通して通話相手４と接続されている。また、ボタン電話端末２は、ボタン電話装置１内の端末インターフェース部５に収容されている。
【００１９】
ボタン電話装置１とボタン電話端末２とは、ケーブル６により接続されている。なお、ボタン電話装置１とボタン電話端末２の間は、物理的なケーブル６は1本だが、TDM（ｔｉｍｅ  ｄｉｖｉｓｉｏｎ  ｍｕｌｔｉｐｌｅｘｉｎｇ：時分割多重化）方式にて２つの通話チャンネル（第１の通話チャンネル７、第２の通話チャンネル８）が存在するものとする。
【００２０】
ボタン電話端末２には、ハンドセット９が接続され、ボタン電話端末２の本体には、ハンズフリー通話用のマイク１０が内蔵されている。ここで、ハンドセット９とハンズフリー通話用のマイク１０は独立しており、２つの通話チャンネル（第１の通話チャンネル７、第２の通話チャンネル８）を使用して、別々の通話を行うことも可能である。
【００２１】
ボタン電話装置１内には、電話回線３を収容するための回線インターフェース部１０と、ボタン電話端末２から通話相手４への音声信号のノイズ成分を除去するためのノイズキャンセラー部１１が設けられている。
【００２２】
次に、図１を参照して、本発明の実施の形態に係るボタン電話システムの動作を説明する。
【００２３】
ボタン電話端末２と、通話相手４が通話中であり、ボタン電話端末２の周囲には大きな騒音が発生しているものとする。
【００２４】
ボタン電話端末２からの送話は、端末インターフェース５を通って、ノイズキャンセラー部１１に送られる。この時、ボタン電話端末２の周囲の騒音も、ハンドセット９のマイク１２に入り、ノイズとなって音声信号と一緒に送信されることになる。
【００２５】
一方、ボタン電話端末２内のハンズフリー用マイク１０を有効にすることにより、周囲の騒音を取り込むことができる。取り込んだ騒音を、ボタン電話端末２と通話相手４の通話とは別な音声チャンネルを使用して、ノイズキャンセラー部１１に入力する。
【００２６】
このように、ボタン電話端末２とボタン電話装置１の間には、第１の通話チャンネル７と第２の通話チャンネル８が存在しており、ハンドセット９のマイク１２からの音声信号は、第１の通話チャンネル７を介してボタン電話装置１に送信され、ボタン電話端末２の本体に設けられたマイク１０からの音声信号は、第２の通話チャンネル８を介してボタン電話装置１に送信される。
【００２７】
そして、ノイズキャンセラー部１１は、ハンドセット９のマイク１２から侵入した周囲雑音成分をボタン電話端末２の本体のマイク１０から収集した周囲雑音成分により打ち消す。
【００２８】
このように、ノイズキャンセラー部１１では、ハンズフリー用のマイク１０からの騒音の位相を反転させ、ボタン電話端末２と通話相手４の通話に加えることによって、通話のノイズ成分のみを取り除き、ハンドセット９からの音声信号のみを取り出すことが可能となる。
【００２９】
ハンドセット９からの音声信号のみを、回線インターフェース部１０を介して通話相手４へ送ることによって、通話相手４では、ノイズのない良好な音声信号を受信できるようになる。
【００３０】
上述のように、本発明の実施の形態のボタン電話装置１を使用することによって、ボタン電話端末２が、工場など騒音が大きい環境下に設置された場合でも、通話相手４には騒音は伝わらず、音声信号のみが良好な音質で送られるので、通話に支障を与えないという効果がある。
【００３１】
また、ノイズキャンセラー部１１をボタン電話装置１の本体内に具備しているため、個々のボタン電話端末２でノイズキャンセラー機能を実現する必要がなく、ボタン電話端末２を低コストで実現することが可能となる。
【００３２】
本発明の実施の形態に係るボタン電話システム１００では、個々のボタン電話端末２とボタン電話装置１の間は、２つの通話チャンネル（第１の通話チャンネル７、第２の通話チャンネル８）で接続されており、同時に２チャネルの通話が可能である。そして、ハンズフリー通話用の第２の通話チャンネル８を、周囲雑音を収集するために使用する。
【００３３】
このように、ボタン電話端末２とボタン電話装置１の間を２チャネルで結び、ボタン電話装置１に設けられたノイズキャンセラー部１１を用いて、ハンドセット９のマイク１２から侵入する周知雑音を、ボタン電話端末２の本体マイク１０から収集する周知雑音で打ち消すことができる。
【００３４】
このように、通話中のボタン電話端末２の本体に備えられたハンズフリー用のマイク１０により周囲雑音を収集するため、ハンドセット９のマイク１２から侵入する周囲雑音とほぼ同じレベルで収集することが可能であり、より完全に近い状態で周囲雑音を打ち消すことができる。
【００３５】
以上、本発明の実施の形態について具体的に説明したが、本発明は上述の実施形態に限定されるものではなく、本発明技術的思想に基づく各種の変形が可能である。
【００３６】
例えば、上記実施の形態では、ボタン電話装置１とボタン電話端末２を使用して説明を行ったが、本発明の騒音下の通話品質改善という目的は、同様の方法で、IP電話端末とクラウドPBX（Ｐｒｉｖａｔｅ  ｂｒａｎｃｈ  ｅｘｃｈａｎｇｅ：構内交換機）にも適用可能である。その場合、IP電話端末とクラウドPBX間には、２つのRTP（Ｒｅａｌ−ｔｉｍｅ  Ｔｒａｎｓｐｏｒｔ  Ｐｒｏｔｏｃｏｌ）セッションをはり、各セッションを通話と周囲ノイズに割り当てるようにすればよい。
【符号の説明】
【００３７】
１  ボタン電話装置
２  ボタン電話端末
３  電話回線
４  通話相手
５  端末インターフェース
６  ケーブル
７  第１の通話チャンネル
８  第２の通話チャンネル
９  ハンドセット
１０  マイク
１１  ノイズキャンセラー部
１００  ボタン電話システム
【図１】
2015149543.tif 000003